(57)【要約】【課題】トリミング領域の矩形は印刷領域のアスペクト比に依存するので例えばフチなし印刷を指定している場合にはその用紙外形のアスペクト比に依存することになる。従って、ユーザが誤って所望の用紙と異なる用紙を指定した状態でトリミング領域の指定を行い、改めて所望の用紙に指定を変更した場合にはトリミング領域のアスペクト比が用紙外形のそれと異なってしまう問題があった。【解決手段】  ユーザがある印刷領域において任意のサイズのトリミング領域指定済みである場合に、更に印刷領域を変更した際には、既に指定されているトリミング領域を含む新しい印刷領域に応じた領域にトリミング領域を補正設定し、プリントする。【選択図】  図１
2005324512.tif 000002
【特許請求の範囲】
【請求項１】
デジタルカメラで撮影したデジタル画像データが格納されている記録媒体から前記デジタル画像データを読み出し、前記デジタル画像データを直接記録媒体に出力する画像記録装置であって、
前記デジタル画像データに対して印刷領域に応じたトリミング領域を指定するためのトリミング領域指定操作手段と、
ユーザによるトリミング領域の指定操作に応じて、印刷領域と同じアスペクト比のままでトリミング領域の大きさを変更するトリミング領域変更手段と、
トリミング領域の変更に連動して、プリント倍率を印刷領域とその時点のトリミング領域の大きさとに基づいて逐次算出するプリント倍率算出手段と、
算出されたプリント倍率に基づいて、デジタル画像データ内のトリミング領域の画像を変倍してプリントするためのプリント制御手段と、を有し、
ユーザがある印刷領域において任意のサイズのトリミング領域指定済みである場合に、更に印刷領域を変更した際には、既に指定されているトリミング領域を含む新しい印刷領域に応じた領域にトリミング領域を補正設定し、プリントする画像記録装置。
【請求項２】
デジタルカメラで撮影したデジタル画像データが格納されている記録媒体から前記デジタル画像データを読み出し、前記デジタル画像データを直接記録媒体に出力する画像記録装置であって、
前記デジタル画像データに対して用紙サイズに応じたトリミング領域を指定するためのトリミング領域指定操作手段と、
ユーザによるトリミング領域の指定操作に応じて、印刷領域と同じアスペクト比のままでトリミング領域の大きさを変更するトリミング領域変更手段と、
トリミング領域の変更に連動して、プリント倍率を印刷領域とその時点のトリミング領域の大きさとに基づいて逐次算出するプリント倍率算出手段と、
算出されたプリント倍率に基づいて、デジタル画像データ内のトリミング領域の画像を変倍してプリントするためのプリント制御手段と、を有し、
ユーザがある印刷領域において任意のサイズのトリミング領域指定済みである場合に、更に印刷領域を変更した際には、既に指定されているトリミング領域の面積と中心点を算出し、新たに指定された印刷領域のアスペクト比においても前記面積と中心点が同じになるようにトリミング領域を補正設定し、プリントする画像記録装置。
【請求項３】
更にはユーザが変更した印刷領域とそのときに設定されていたトリミング領域の履歴を保存するメモリを有し、
印刷領域を変更していく過程で新たに選択した印刷領域が既に一度選択された印刷領域と同一であった場合には前記保存しておいたメモリからトリミング領域を読み出し補正設定する請求項１に記載の画像記録装置。
【発明の詳細な説明】
【技術分野】
【０００１】
本発明は、画像データ処理装置及び該画像データ処理装置を備えた画像記録装置に関し，特にデジタルカメラで撮影したデジタル画像データが格納されている記録媒体を直接接続することが可能で、接続された記録媒体から前記デジタル画像データを読み出し、前記デジタル画像データを直接プリントする画像データ処理装置であって、更には前記デジタル画像データをプリントする際には印刷領域のアスペクト比に従って画像をトリミングすることが可能であり、ユーザがそのトリミング領域のサイズ、位置を指定可能であることを特徴とする画像記録装置に関するものである。
【背景技術】
【０００２】
近年、撮影結果としての画像をデジタル画像データに変換して、このデジタル画像データをフラッシュメモリ等の記録媒体に格納するデジタルカメラが普及してきている。
【０００３】
一般に、デジタルカメラで撮影された画像をプリンタで記録するための画像記録システムには、パーソナルコンピュータが用いられ、パーソナルコンピュータはデジタル画像データが格納された記録媒体から画像データを取り込み（特許文献１参照）、取り込み後にパーソナルコンピュータの操作によって、該画像データをプリンタが記録処理可能なプリントデータに変換してプリンタへ出力する。
【０００４】
図３は従来の画像記録システムの構成例を示す図である。
【０００５】
画像記録システムは、図３に示すように、デジタルカメラ３０１と、パーソナルコンピュータ３０２と、プリンタ３０３とから構成され、デジタルカメラ３０１とパーソナルコンピュータ３０２とは例えばＲＳ２３２Ｃなどの通信ケーブル３０４を介して通信可能に接続され、パーソナルコンピュータ３０２とプリンタ３０３とは例えばセントロニクスあるいはＵＳＢなどの通信ケーブル３０５を介して通信可能に接続されている。
【０００６】
デジタルカメラ３０１で撮影した画像はデジタル画像データとしてデジタルカメラ３０１に装着されているフラッシュメモリに一時的に格納される。この撮影した画像を記録するときには、まず、デジタルカメラ３０１とパーソナルコンピュータ３０２とが通信ケーブル３０４で接続され、パーソナルコンピュータ３０２上において通信ソフトウェアが起動される。次いで、この通信ソフトウェアによりデジタルカメラ３０１内の通信ソフトウェアとの間で通信が行われ、デジタルカメラ３０１のフラッシュメモリに格納されているデジタル画像データが通信ケーブル３０４を介してパーソナルコンピュータ３０２に伝送される。この伝送されたデジタル画像データはパーソナルコンピュータ３０２のハードディスクなどに一時的に格納される。
【０００７】
デジタルカメラ３０１からのデジタル画像データがパーソナルコンピュータ３０２に取り込まれると、パーソナルコンピュータ３０２上においてプリンタ３０３用のプリンタドライバが起動され、このプリンタドライバによりデジタルカメラ３０１から取り込まれたデジタル画像データはプリンタ３０３が記録処理可能なプリントデータに変換された後に通信ケーブル３０５を介してプリンタ３０３に出力される。プリンタ３０３は、通信ケーブル３０５を介してプリントデータを取り込み、このプリントデータに基づき該プリントデータが示す画像を記録用紙に記録して出力する。
【０００８】
しかし、上述の従来の画像記録システムでは、デジタルカメラ３０１のデジタル画像データをパーソナルコンピュータ３０２に取り込むための通信ケーブル３０４の接続、通信ソフトウェアの起動、取り込んだデジタル画像データをプリントデータに変換して出力するためのプリンタドライバの起動などのパーソナルコンピュータ３０２上における操作、作業が必要であるから、デジタルカメラで撮影された画像を得るための操作に煩雑な手間が掛り、面倒であった。
【０００９】
また、上記のような画像記録システムは規模が大きいとともにコストも高いので、このようなシステムを所有していないユーザには、デジタルカメラを使用し難いものにする要因になっている。
【００１０】
さらに、パーソナルコンピュータは普及が著しいとはいえ、実際に使いこなすにはまだ解決すべき問題が多く、持っていても使いこなせないユーザが大多数であるとの指摘もあり、これらのユーザがデジタルカメラによる撮影結果としての画像を記録するための記録処理用アプリケーションプログラムやプリンタドライバを購入してインストールしようとしてもインストール自体が困難であったり、コマンド入力の方法がわからないという不都合が生じかねないという問題点もある。
【００１１】
このような背景から、デジタルカメラが今後普及し一般家庭で通常用いられるようになるためには、低コストであり、前記フラッシュメモリ等が装着可能であって、撮影結果としての画像を記録処理する際の操作が簡単であり、電源スイッチオンで処理動作が起動される画像データ処理装置とプリンタとが一体化した画像記録装置としてのカードダイレクト印刷装置が考案されている。
【００１２】
この画像データ処理装置とプリンタとが一体化した画像記録装置において、以前は画像を確認するための液晶パネル等の表示デバイスが備えられていないため、ユーザは撮影した画像を見ることができず、ユーザはその場で直ぐに所望の画像ファイルを選択し、その画像をプリントすることはできなかったが、近年その利便性を考慮し、画像を閲覧可能な液晶パネル等の表示デバイスをはじめから組み込んだ装置、あるいはオプションとして接続可能な装置も考案されている。
【００１３】
このように画像を閲覧可能な表示デバイスを持つ画像記録装置においては、次に画像のトリミングが可能であることが望まれる。
【００１４】
ここで言うトリミングとは図１の１０１に示すように実際に印刷される領域と同じアスペクト比で前記デジタル画像データ中の印刷領域を指定することで、実際に印刷される領域は例えばフチなし印刷を行う場合には用紙外形そのものとなり、この場合のアスペクト比は用紙外形のアスペクト比と同一となる。更にこのトリミング領域のサイズや位置を変更可能であれば、ユーザは画像データ中の任意の場所をトリミングして切り取り、指定の用紙にフチなしで印刷することが可能となる。
【００１５】
さて、以前の表示デバイスが無かった場合にはその指定の手順が余りに複雑になるため出来なかったトリミング領域の指定であるが、表示デバイスが接続されることによって表示デバイス上に印刷する画像と、その画像の中で切り取りたいトリミング矩形を重ね合わせて表示することにより簡単に指定することが可能になった。
【００１６】
【特許文献１】特開２００２−２６２１４６号公報
【発明の開示】
【発明が解決しようとする課題】
【００１７】
しかしながら、先に述べたようにこのトリミング領域の矩形は印刷領域のアスペクト比に依存するので例えばフチなし印刷を指定している場合にはその用紙外形のアスペクト比に依存することになる。従って、ユーザが誤って所望の用紙と異なる用紙を指定した状態でトリミング領域の指定を行い、改めて所望の用紙に指定を変更した場合にはトリミング領域のアスペクト比が用紙外形のそれと異なってしまう問題があった。
【００１８】
この様にトリミング領域を指定できることによってユーザはデジタル画像データから任意の部分を切り取り印刷を行うことができるようになったが、トリミング領域を設定した後に用紙サイズ等印刷領域に関わる設定を変更すると設定したトリミング領域を破棄し、再設定する必要が生じる。トリミング領域を設定済みの画像が数枚程度しかない場合には再設定することも考えられるがそれが数十枚にも及ぶ場合には再設定をする作業は余りにユーザに対する負担が大きい。
【００１９】
本発明は、上記問題点に鑑みてなされたものであり、既にトリミング領域が設定済みの画像がある場合に更に用紙サイズ等印刷領域が変化する設定が行われた際に、自動的にトリミング領域を補正する画像記録装置を提供することを目的とする。
【課題を解決するための手段】
【００２０】
上記の課題を解決するため、本発明の画像記録装置は、デジタルカメラで撮影したデジタル画像データが格納されている記録媒体から前記デジタル画像データを読み出し、デジタル画像データを直接記録媒体に出力する画像記録装置であって、デジタル画像データに対して印刷領域に応じたトリミング領域を指定するためのトリミング領域指定操作手段と、ユーザによるトリミング領域の指定操作に応じて、印刷領域と同じアスペクト比のままでトリミング領域の大きさを変更するトリミング領域変更手段と、トリミング領域の変更に連動して、プリント倍率を印刷領域とその時点のトリミング領域の大きさとに基づいて逐次算出するプリント倍率算出手段と、算出されたプリント倍率に基づいて、デジタル画像データ内のトリミング領域の画像を変倍してプリントするためのプリント制御手段と、を有し、ユーザがある印刷領域において任意のサイズのトリミング領域指定済みである場合に、更に印刷領域を変更した際には、既に指定されているトリミング領域を含む新しい印刷領域に応じた領域にトリミング領域を補正設定しプリントすることを特徴とする。
【発明の効果】
【００２１】
以上のように、本実施形態例によれば、トリミング領域の設定をした後にそのトリミング矩形に関わるような設定を変更し、アスペクト比が変わったとしてもユーザが再び設定しなおす必要がなくほぼユーザが目的とするトリミングされた画像を印刷することが可能である。
【発明を実施するための最良の形態】
【００２２】
図４は本発明の画像データ処理装置を備えた画像記録装置を示す概略斜視図である。
【００２３】
４０１は本発明に適用可能なインクジェットプリンタの一例である。なお、本実施形態例ではプリンタとしてインクジェットプリンタを用いているが、これには限らず、熱転写プリンタ（溶解型、昇華型）、ドットプリンタ、レーザープリンタ、ＬＥＤプリンタなど、あらゆるプリンタが適用可能である。
【００２４】
４０７はユーザの操作を受け付けるユーザＩ／Ｆ部分であり、ユーザはこのＩ／Ｆに設けられたキーを押下することによって印刷しようとするデジタル画像データの選択や印字モードの指定、トリミング領域のサイズ、位置の変更等の指定を行う。
【００２５】
また４０８は表示デバイスであり、ここでは液晶ＬＣＤが予め組み込まれている。この液晶ＬＣＤには図１で示すように後述するＰＣＭＣＩＡカード内に記録されているデジタル画像データを読み出した後、その画像を表示する構成となっている。
【００２６】
次に４０２はコンパクトフラッシュ（登録商標）カードであり、４０３はＰＣＭＣＩＡカードアダプタと呼ばれ、コンパクトフラッシュ（登録商標）４０２をＰＣＭＣＩＡ規格のカード接続部に拡張するためのアダプタである。４０４は上述したようにデジタル画像データが格納されているＰＣＭＣＩＡカードの記録媒体を接続する記録媒体接続部である。記録媒体接続部４０４は、記録媒体に格納されているデジタル画像データを読み出すためのものであり、記録媒体接続部４０４に記録媒体を差し込むことで記録媒体は画像データ処理装置３０１に接続され、画像データ処理装置４０１はその接続された記録媒体からデジタル画像データを読み出すことが出来る。
【００２７】
ここで、本発明の特徴的部分である、トリミング及び印刷領域の変更に伴うトリミング領域の自動補正ついて図１、２をもとに説明する。
【００２８】
本実施例ではＰＣＭＣＩＡカードをＰＣＭＣＩＡ接続部４０４に接続すると液晶ＬＣＤ４０８にそのＰＣＭＣＩＡ内に記録された画像を表示する構成となっている。ユーザは必要が有ればユーザＩ／Ｆ４０７を操作し、ＰＣＭＣＩＡカード内に記録された他の画像を閲覧することも可能である。更にユーザは所望する画像を液晶ＬＣＤ４０８に表示した状態でユーザＩ／Ｆ４０７を操作することによりトリミングモードにモード変更することが可能である。
【００２９】
トリミングモードになると液晶ＬＣＤ４０８上には図１に示すような選択されている画像の表示と重ね合わせてトリミングされる領域を示すトリミング矩形１０２（破線の矩形）が表示される。このトリミング矩形１０２のアスペクト比は現在選択されている印刷のタイプによって異なる。即ち印刷のタイプがフチありの場合にはその印刷領域のアスペクト比が４：３であるため、トリミング矩形１０２のアスペクト比も４：３となり、印刷のタイプがフチなしの場合には印刷領域のアスペクト比はユーザが指定している用紙の外形となるため、トリミング矩形のアスペクト比も用紙外形のそれと同一になる。
【００３０】
また、このトリミング領域はユーザＩ／Ｆ４０７を操作することにより、拡大／縮小、位置の移動を変更することが可能な構成となっている。
【００３１】
さて、ユーザが既に複数の画像に対してトリミングの設定を行っていたと仮定して、そこで印刷しようとする印刷のタイプや用紙の設定を間違えていたことに気付いたとすると、ユーザはユーザＩ／Ｆ４０７を操作して所望の印刷タイプや用紙の設定を行うことになる。
【００３２】
ここで例えばユーザが印刷タイプとしてフチ有りを選択した状態からフチなしに変更しようとしたとする。印刷タイプがフチありの場合のトリミング矩形１０２は４：３であり、今回フチなしに変更したことによってトリミング矩形は用紙の外形と同じにしなければならないが、このアスペクト比が仮に１０：８であったとすると、補正後のトリミング矩形は１０：８とする必要が有る。
【００３３】
ここで第一の実施例では先のトリミング領域を含み且つアスペクト比が１０：８となる最小のトリミング領域１０３となるように自動的に補正する。
【００３４】
例えば補正前のトリミング領域の左上端の座標を（ｘ１，ｙ１）、右下端の座標を（ｘ２，ｙ２）とし、補正後のトリミング領域の左上端の座標を（ｘ’１，ｙ’１）、右下端の座標を（ｘ’２，ｙ’２）とすると、補正前のアスペクト比より補正後のアスペクト比が横長であった場合には縦方向（ｙ方向）は補正の必要が無いから
ｙ’１＝ｙ１    （１）
ｙ’２＝ｙ２    （２）
（ｘ’２−ｘ’１）：（ｙ’２−ｙ’１）＝１０：８    （３）
ｘ’１＋ｘ’２＝ｘ１＋ｘ２    （４）
（補正の前後でｘ方向の中心点を同じにする）
の４式を満たすｘ’１，ｘ’２，ｙ’１，ｙ’２を求めれば補正後のトリミング矩形が求められることになる。
【００３５】
逆に補正前のアスペクト比より補正後のアスペクト比が縦長であった場合には上記４式のｘ，ｙを入れ替えれば同様にして、補正後のトリミング矩形を求めることが出来る。
【００３６】
次に第二の実施例では同じく４：３のアスペクト比から１０：８のアスペクト比に補正する際に補正前のトリミング領域２０２の中心点２０４と面積を算出し、補正後のトリミング領域２０３の中心点と面積が同一になるように補正するものである。
【００３７】
これは例えば補正前のトリミング領域の左上端の座標を（ｘ１，ｙ１）、右下端の座標を（ｘ２，ｙ２）とし、補正後のトリミング領域の左上端の座標を（ｘ’１，ｙ’１）、右下端の座標を（ｘ’２，ｙ’２）とすると中心点はそれぞれ（（ｘ１＋ｘ２）／２，（ｙ１＋ｙ２）／２）、（（ｘ’１＋ｘ’２）／２，（ｙ’１＋ｙ’２）／２）であるから
（ｘ１＋ｘ２）／２＝（ｘ’１＋ｘ’２）／２    （１）
（ｙ１＋ｙ２）／２＝（ｙ’１＋ｙ’２）／２    （２）
を満たせば中心点は同一となる。
【００３８】
次に補正の前後で面積を同じにするためにはそれぞれの面積は（ｘ２−ｘ１）（ｙ２−ｙ１）と（ｘ’２−ｘ’１）（ｙ’２−ｙ’１）であるから
（ｘ２−ｘ１）（ｙ２−ｙ１）＝（ｘ’２−ｘ’１）（ｙ’２−ｙ’１）    （３）
また補正後のアスペクト比は今回の例では１０：８であるから
（ｘ’２−ｘ’１）：（ｙ’２−ｙ’１）＝１０：８    （４）
の４式を満たすｘ’１，ｘ’２，ｙ’１，ｙ’２を求めれば補正後のトリミング矩形が求められることになる。
【００３９】
なお、前記実施例１、２のいずれにおいても補正後の座標ｘ’１が負数となったり、ｘ’２が表示領域の最大値を超えてしまう場合が考えられるがその場合は、ｘ’１が負数になった場合にはｘ’１、ｘ’２にその値の正負を反転した値を加算し（ｘ’１＝０となる）、ｘ’２が表示領域の最大値を超えた場合にはｘ’１、ｘ’２からその差分を減算する（ｘ’２は表示領域の最大値となる）ことによって表示領域内に収まるように更に補正するものとする。
【００４０】
また、ｘ’１が負数になるとともにｘ’２が表示領域の最大値をも超えた場合には目的とする補正は不可能であるから、この場合はｘ’１＝０、ｘ’２＝表示領域の最大値とし補正の前後で中心が一致するように補正するものとする。
【００４１】
なお、ｙ’１が負数になった場合やｙ’２が表示領域の最大を超えた場合もｙ方向に対して同様の補正を行うものとする。
【００４２】
更に第三の実施例では第一の実施例に加えて、ユーザが変更した印刷領域とそのときに設定されていたトリミング領域の履歴を保存するメモリを図５のように用意する。ここでは既に選択されたことのあるアスペクト比とその時に設定されていたトリミング領域の左上端と右下端の座標を保存し、新たなアスペクト比を選択されたときに既に設定されたアスペクト比であるかを検索するために端方向リストで実現している。なお、この単方向リストは例えば配列など他の方法でも実現可能である。
【００４３】
ここで図６のようにユーザが印刷領域を変更して現在の設定と異なるアスペクト比になると前記単方向リスト内に同じアスペクト比がないか検索するために検索ノード番号を１に設定し（Ｓｔｅｐ１）、新たに選択した印刷領域が既に一度選択されたアスペクト比と同一であるか比較する（Ｓｔｅｐ２）。同じであった場合には前記保存しておいたノードからトリミング領域を読み出し補正設定する（Ｓｔｅｐ６）が、異なる場合には次のノードがあるかをチェックする（Ｓｔｅｐ３）。次のノードが有れば検索ノード番号を１加算しＳｔｅｐ２に戻る。次のノードが無い場合には前記第一の実施例乃至第二の実施例にもとづいてトリミング領域を補正し（Ｓｔｅｐ４）、この座標を新たなノードとして前記単方向リストに追加するものである。
【００４４】
これは例えば前述の４：３と１０：８の印刷領域の変更を交互に行いつづけると補正前のトリミング領域を含む形で補正が行われるため、トリミング領域が次々と拡大していってしまうのを防ぐためである。
【００４５】
また、上述の第一、第二乃至第三の実施例においてユーザがユーザＩ／Ｆ４０７の操作によって印刷領域の変更を行った際に液晶ＬＣＤ４０８上に「設定したトリミング情報が補正されますが、よろしいですか？はい／いいえ」等のアラートを表示し、ユーザに自動的にトリミング領域が補正／変更される旨を伝え、ユーザがユーザＩ／Ｆ４０７により「はい」を選択した場合にはトリミング領域の補正を実行し、同様に「いいえ」を選択した場合には印刷領域の変更を取りやめ、トリミング領域も変更しない構成とするものである。
【００４６】
［他の実施の形態］
本発明の目的は前述したように、実施例の機能を実現するソフトウェアのプログラムコードを記録した記憶媒体をシステム或は装置に提供し、そのシステム或は装置のコンピュータ（又はＣＰＵやＭＰＵ）が記憶媒体に格納されたプログラムコードを読み出し実行することによっても達成される。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィ（登録商標）ディスク、ハードディスク、光ディスク、光磁気ディスク、ＣＤ−ＲＯＭ，ＣＤ−Ｒ、磁気テープ、不揮発性のメモリカード、ＲＯＭなどを用いることができる。
【００４７】
また、コンピュータが読み出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部又は全部を行い、その処理によって前述した実施例の機能が実現される場合も含まれる。
【００４８】
更に、記憶媒体から読み出されたプログラムコードが、コンピュータに挿入された機能拡張ボードやコンピュータに接続された機能拡張ユニットに備わるメモリに書きこまれた後、そのプログラムコードの指示に基づき、その機能拡張ボードや機能拡張ユニットに備わるＣＰＵなどが実際の処理の一部又は全部を行い、その処理によって前述した実施例の機能が実現される場合も含む。
【図面の簡単な説明】
【００４９】
【図１】実施例１、３におけるユーザが選択した画像とそのトリミング矩形を示し、更に印刷領域を変更した場合のトリミング領域補正後の状態を示した概略図である。
【図２】実施例２におけるユーザが選択した画像とそのトリミング矩形を示し、更に印刷領域を変更した場合のトリミング領域補正後の状態を示した概略図である。
【図３】従来のデジタルカメラとパーソナルコンピュータ、パーソナルコンピュータとプリンタを接続したときの模式図である。
【図４】本発明に基づく記録装置の概略斜視図である。
【図５】実施例３における選択済のアスペクト比とそのときのトリミング領域を関連付けた単方向リストである。
【図６】実施例３にアルゴリズムを示すフローチャートである。
【符号の説明】
【００５０】
１０１  表示画像
１０２  補正前のトリミング矩形
１０３  補正後のトリミング矩形
２０１  表示画像
２０２  補正前のトリミング矩形
２０３  補正後のトリミング矩形
２０４  トリミング矩形の中心
３０１  デジタルカメラ
３０２  パーソナルコンピュータ
３０３  プリンタ
４０１  プリンタ
４０２  コンパクトフラッシュ（登録商標）カード
４０３  ＰＣＭＣＩＡアダプタ
４０４  ＰＣＭＣＩＡ接続部（ＰＣＭＣＩＡスロット）
４０５  ＣＤ−Ｒドライブ
４０６  外部デバイス接続部
４０７  ユーザＩ／Ｆ
４０８  液晶ＬＣＤ（表示装置）
【図１】
2005324512.tif 000003
【図２】
2005324512.tif 000004
【図３】
2005324512.tif 000005
【図４】
2005324512.tif 000006
【図５】
2005324512.tif 000007
【図６】
2005324512.tif 000008